(57)【要約】【課題】インタクーラアウトレット配管を流れる空気が加熱されることを防止して、内燃機関の出力性能を高めることができる過給機付き内燃機関の吸気装置を提供すること。【解決手段】吸気導入管２６をサージタンク２５から車両１の下方に延長させるとともに、車両１の高さ方向においてオルタネータ２１の下部に延長させ、インタクーラアウトレット配管１６を、空気出口管部１９ａからマウント装置７の下方およびオルタネータ２１の下方を通して吸気導入管２６に接続する。また、車両１の高さ方向において空気出口管部１９ａをマウント装置７よりも上方に設置するとともに、オルタネータ２１をマウント装置７よりも下方に設置し、インタクーラアウトレット配管１６を、空気出口管部１９ａからマウント装置７の下方およびオルタネータ２１の下方を通して吸気導入管２６に接続する。【選択図】図４
2015190323.tif 000002
【特許請求の範囲】
【請求項１】
過給機および作動時に熱を発生する補機が取付けられ、車幅方向端部に取付けられたマウント装置を介して車両の車体に支持される内燃機関に取付けられた吸気装置であって、
前記内燃機関の前後方向後部に取付けられたサージタンクおよび前記サージタンクの上流側に設けられ、前記補機が側方に設置される吸気マニホールドと、
前記内燃機関の前方に設置されるとともに、空気出口管部を有し、前記過給機にインタクーラインレット配管を介して接続されるインタクーラと、
前記インタクーラの前記空気出口管部から前記内燃機関の前記車幅方向端部に沿って延びた後、前記吸気導入管に連結されるインタクーラアウトレット配管とを備え、
前記車両の高さ方向において前記空気出口管部を前記マウント装置よりも上方に設置するとともに、前記補機を前記マウント装置よりも下方に設置し、
前記吸気導入管を前記サージタンクから前記車両の下方に延長させるとともに、前記車両の高さ方向において少なくとも前記補機の下部に延長させ、
前記インタクーラアウトレット配管を、前記空気出口管部から前記マウント装置の下方および前記補機の下方を通して前記吸気導入管に接続したことを特徴とする過給機付き内燃機関の吸気装置。
【請求項２】
前記内燃機関を前記車幅方向端部から目視した状態において、前記インタクーラアウトレット配管が、前記空気出口管部から前記吸気導入管に向かって前記車両の下方に屈曲する複数の段差部を有することを特徴とする請求項１に記載の過給機付き内燃機関の吸気装置。
【請求項３】
前記インタクーラアウトレット配管は、
前記空気出口管部から前記マウント装置に対して前記車両の前後方向手前側まで延びた後、前記車両の下方に屈曲する第１の配管部と、
前記第１の配管部に連続し、前記補機の上端部よりも低い位置で、かつ前記マウント装置の下方を通過する第２の配管部と、
前記第２の配管部に連続し、前記補機に対して前記車両の前後方向手前側から下方に屈曲する第３の配管部と、
前記第３の配管部に連続し、前記補機の下方を通過して前記吸気導入管に接続される第４の配管部とを含んで構成されることを特徴とする請求項１または請求項２に記載の過給機付き内燃機関の吸気装置。
【請求項４】
前記補機がオルタネータから構成されることを特徴とする請求項１ないし請求項３のいずれか１項に記載の過給機付き内燃機関の吸気装置。
【発明の詳細な説明】
【技術分野】
【０００１】
本発明は、過給機付き内燃機関の吸気装置に関し、特に、過給機から内燃機関に導入される空気を冷却するインタクーラを備えた過給機付き内燃機関の吸気装置に関する。
【背景技術】
【０００２】
一般に、自動車等の車両の内燃機関には、過給機のコンプレッサにより過給されて温度が上昇した空気を冷却するインタクーラが設けられている。このインタクーラでは、コア部を通過する外気との熱交換を通じて空気の温度を低下させることにより、内燃機関の吸気効率を高めることができる。
【０００３】
従来のこの種のインタクーラを備えた内燃機関としては、特許文献１および特許文献２に記載されたものが知られている。特許文献１および特許文献２に記載されたものは、エンジンルーム内に搭載された内燃機関の前方にインタクーラが設置されているとともに、内燃機関の後方で、かつ内燃機関の上部に吸気マニホールドが設置されており、インタクーラと吸気マニホールドとがインタクーラアウトレット配管によって連結される。
【０００４】
特許文献１に記載されたインタクーラアウトレット配管は、インタクーラの上部タンクから内燃機関の変速機側の車幅方向一端部と反対側の車幅方向他端部に沿って内燃機関の上側に向けて車両の斜め上方に延びた後、内燃機関の後部上方から内燃機関の上方を横切るようにして吸気マニホールドに連結されている。
【０００５】
また、インタクーラアウトレット配管に対して車両の前後方向前方側において、車両の前後方向に重なるようにしてエアクリーナインレット配管が設置されている。
【０００６】
特許文献２に記載されたインタクーラアウトレット配管（第３の吸気管）は、インタクーラの下部タンクから内燃機関の変速機側の車幅方向一端部と反対側の車幅方向他端部に沿って内燃機関の上側に向けて車両の斜め上方に延在している。
【先行技術文献】
【特許文献】
【０００７】
【特許文献１】特開２０１１−２１５７１号公報
【特許文献２】特開２００９−２２７１３２号公報
【発明の概要】
【発明が解決しようとする課題】
【０００８】
しかしながら、特許文献１、２に記載されたものにあっては、車幅方向他端部に熱を発生するオルタネータ等の補機が設置される場合に、インタクーラアウトレット配管が補機の上方に位置することになる。
【０００９】
このため、補機から発生して上昇する熱が補機の上方に滞留すると、インタクーラアウトレット配管がこの熱に晒されてしまい、インタクーラアウトレット配管を通過する空気が加熱されてしまうおそれがある。
【００１０】
また、特許文献１に記載されたものは、インタクーラアウトレット配管に対して車両の前後方向前方側において、車両の前後方向に重なるようにしてエアクリーナインレット配管が設置されている。このため、車両の前方からの走行風がエアクリーナインレット配管に遮られてしまい、インタクーラアウトレット配管に当たり難く、インタクーラアウトレット配管を流れる空気を効率よく冷却できない。
【００１１】
以上の結果、インタクーラによって冷却された空気をインタクーラアウトレット配管によってさらに冷却できず、吸気マニホールドを介して冷却した空気を内燃機関に導入できない。したがって、内燃機関の吸気効率を高めることができず、内燃機関の出力性能を高めることが困難となる。
【００１２】
本発明は、上記のような問題点に着目してなされたものであり、インタクーラアウトレット配管を流れる空気が加熱されることを防止して、内燃機関の出力性能を高めることができる過給機付き内燃機関の吸気装置を提供することを目的とする。
【課題を解決するための手段】
【００１３】
本発明の第１の態様は、過給機および作動時に熱を発生する補機が取付けられ、車幅方向端部に取付けられたマウント装置を介して車両の車体に支持される内燃機関に取付けられた吸気装置であって、前記内燃機関の前後方向後部に取付けられたサージタンクおよび前記サージタンクの上流側に設けられ、前記補機が側方に設置される吸気マニホールドと、前記内燃機関の前方に設置されるとともに、空気出口管部を有し、前記過給機にインタクーラインレット配管を介して接続されるインタクーラと、前記インタクーラの前記空気出口管部から前記内燃機関の前記車幅方向端部に沿って延びた後、前記吸気導入管に連結されるインタクーラアウトレット配管とを備え、前記車両の高さ方向において前記空気出口管部を前記マウント装置よりも上方に設置するとともに、前記補機を前記マウント装置よりも下方に設置し、前記吸気導入管を前記サージタンクから前記車両の下方に延長させるとともに、前記車両の高さ方向において少なくとも前記補機の下部に延長させ、前記インタクーラアウトレット配管を、前記空気出口管部から前記マウント装置の下方および前記補機の下方を通して前記吸気導入管に接続したものから構成されている。
【００１４】
本発明の第２の態様としては、内燃機関を車幅方向端部から目視した状態において、インタクーラアウトレット配管が、空気出口管部から吸気導入管に向かって車両の下方に屈曲する複数の段差部を有してもよい。
【００１５】
本発明の第３の態様としては、インタクーラアウトレット配管が、空気出口管部からマウント装置に対して車両の前後方向手前側まで延びた後、車両の下方に屈曲する第１の配管部と、第１の配管部に連続し、補機の上端部よりも低い位置で、かつマウント装置の下方を通過する第２の配管部と、第２の配管部に連続し、補機に対して車両の前後方向手前側から下方に屈曲する第３の配管部と、第３の配管部に連続し、補機の下方を通過して吸気導入管に接続される第４の配管部とを含んで構成されてもよい。
本発明の第４の態様としては、補機がオルタネータから構成されてもよい。
【発明の効果】
【００１６】
このように上記の第１の態様によれば、吸気導入管をサージタンクから車両の下方に延長させるとともに、車両の高さ方向において少なくとも補機の下部に延長させ、インタクーラアウトレット配管を、空気出口管部からマウント装置の下方および補機の下方を通して吸気導入管に接続した。
【００１７】
このため、補機の側方から下側に亙って囲むようにインタクーラアウトレット配管および吸気導入管を設置でき、補機から上昇する熱にインタクーラアウトレット配管および吸気導入管が晒されることを防止できる。したがって、インタクーラで冷却された空気が加熱されることを防止できる。したがって、インタクーラアウトレット配管を流れる空気を低温に保つことができる。
【００１８】
この結果、インタクーラで冷却された空気をインタクーラアウトレット配管から吸気マニホールドを通して内燃機関に導入でき、内燃機関の吸気効率を高めて内燃機関の出力性能を高めることができる。
【００１９】
また、車両の高さ方向において空気出口管部をマウント装置よりも上方に設置するとともに、補機をマウント装置よりも下方に設置し、インタクーラアウトレット配管を、空気出口管部からマウント装置の下方および補機の下方を通して吸気導入管に接続した。
【００２０】
このため、車両の高さ方向においてインタクーラアウトレット配管を車両の前方（上流側）から後方（下流側）に向かって低く設置でき、車両の高さ方向においてインタクーラアウトレット配管の高さ方向の寸法を長くできる。
【００２１】
したがって、車両の前方から車両に導入される走行風がインタクーラアウトレット配管に当たる表面積を増大でき、インタクーラアウトレット配管を効率よく冷却できる。この結果、インタクーラアウトレット配管を流れる空気の温度を走行風によってさらに低下でき、内燃機関の吸気効率をより効果的に高めることができる。
【００２２】
また、補機の上方のスペースにインタクーラアウトレット配管が設置されないので、補機の上方のスペースを拡大できる。このため、上方から補機に容易にアクセスでき、内燃機関に対して補機を容易に着脱できる。したがって、補機のメンテナンス作業の作業性を向上できる。
【００２３】
上記の第２の態様によれば、内燃機関を車幅方向端部から目視した状態において、インタクーラアウトレット配管が、空気出口管部から吸気導入管に向かって車両の下方に屈曲する複数の段差部を有する。
【００２４】
このため、車両の前方から車両に導入される走行がインタクーラアウトレット配管に当たる表面積をより効果的に増大でき、インタクーラアウトレット配管をより効率よく冷却できる。この結果、インタクーラアウトレット配管を流れる空気の温度を走行風によってより効果的に低下でき、内燃機関の吸気効率をより効果的に高めることができる。
【００２５】
上記の第３の態様によれば、インタクーラアウトレット配管が、空気出口管部からマウント装置に対して車両の前後方向手前側まで延びた後、車両の下方に屈曲する第１の配管部を有する。
【００２６】
このため、第１の配管部をマウント装置に対して車両の前方に位置させることができ、車両の前方から取り込まれる走行風がマウント装置に遮られることがなく、第１の配管部に走行風を確実に当てることができる。したがって、第１の配管部を流れる空気を冷却することができる。
【００２７】
また、インタクーラアウトレット配管が、第１の配管部に連続し、補機の上端部よりも低い位置で、かつマウント装置の下方を通過する第２の配管部を有する。このため、補機から上昇する熱に第２の配管部が晒されることを防止でき、インタクーラで冷却された空気が加熱されることを防止できる。
【００２８】
また、インタクーラアウトレット配管が、第２の配管部に連続し、補機に対して車両の前後方向手前側から下方に屈曲する第３の配管部を有する。このため、第３の配管部を第２の配管部よりもさらに下方に設置でき、補機から上昇する熱に第３の配管部が晒されることを防止できる。したがって、インタクーラで冷却された空気が加熱されることを防止できる。
【００２９】
これに加えて、第３の配管部の前方に障害物が設置されることがないので、車両の前方から取り込まれる走行風を第３の配管部に確実に当てることができる。このため、第３の配管部を流れる空気を冷却することができる。
【００３０】
また、インタクーラアウトレット配管が、第３の配管部に連続し、補機の下方を通過して吸気導入管に接続される第４の配管部を有する。このため、第４の配管部を第３の配管部よりもさらに下方に設置でき、補機から上昇する熱に第４の配管部が晒されることを防止できる。したがって、インタクーラで冷却された空気が加熱されることを防止できる。
【００３１】
以上の結果、第１の配管部から第４の配管部を流れる空気が補機の熱に晒され難くできるとともに、第１の配管部から第４の配管部に走行風を当て易くでき、インタクーラアウトレット配管を流れる空気を低温に保つことができる。
【００３２】
上記の第４の態様によれば、補機がオルタネータから構成されるので、モータの回転によってオルタネータから発生する熱によってインタクーラアウトレット配管を流れる空気が加熱されることを防止できる。
【００３３】
また、オルタネータは、他の補機に比較して相対的に大型であるが、本発明は、補機の上方のスペースを拡大できるため、上方からオルタネータに容易にアクセスできる。したがって、内燃機関に対してオルタネータを容易に着脱でき、オルタネータのメンテナンス作業の作業性を向上できる。
【図面の簡単な説明】
【００３４】
【図１】図１は、本発明の過給機付き内燃機関の吸気装置の一実施形態を示す図であり、車両の前部の上面図である。
【図２】図２は、本発明の過給機付き内燃機関の吸気装置の一実施形態を示す図であり、車両の前部の側面図である。
【図３】図３は、本発明の過給機付き内燃機関の吸気装置の一実施形態を示す図であり、内燃機関を後面図である。
【図４】図４は、本発明の過給機付き内燃機関の吸気装置の一実施形態を示す図であり、インタクーラアウトレット配管の周辺の内燃機関の側面図である。
【発明を実施するための形態】
【００３５】
以下、本発明に係る過給機付き内燃機関の吸気装置の実施形態について、図面を用いて説明する。
図１〜図４は、本発明に係る一実施形態の過給機付き内燃機関の吸気装置を示す図である。
【００３６】
まず、構成を説明する。
図１において、車両１は、車体２を備えており、車体２は、車両１の前後方向に延在するとともに車幅方向に設置されるサイドフレーム２Ａ、２Ｂを有する。
【００３７】
図１、図２において、車体２は、車両１の前後方向前方にダッシュパネル３を備えており、ダッシュパネル３は、車体２を、車両１の前後方向前方に設置されるエンジンルーム４と車両１の前後方向後方に設置されて搭乗者が搭乗する車室５とに区画する。以後、前方、後方等のような前と後とを表す表現は、車両１の前後方向に対する方向である。
【００３８】
エンジンルーム４には内燃機関としてのエンジン６が設置されており、エンジン６は、車幅方向一端部６ａに取付けられたマウント装置７を介してサイドフレーム２Ａに支持される。
また、マウント装置７は、エンジン６の車両幅方向一端部６ａに締結する第１のマウントブラケット７ａと、第１のマウントブラケット７ａに連結して、サイドフレーム２Ｂ側に延びる第２のマウントブラケット７ｂと、第２のマウントブラケット７ｃに連結して、サイドフレーム２Ｂに取付けられるマウントインシュレータ部７ｃとを有する。
【００３９】
図３に示すように、エンジン６の車幅方向他端部６ｂには変速機８が設けられており、変速機８は、図示しないマウント装置を介してサイドフレーム２Ｂに支持される。ここで、エンジン６の車幅方向一端部６ａは、本発明の内燃機関の車幅方向端部を構成する。
【００４０】
図１、図２において、エンジン６には過給機９および吸気装置１０が設けられている。図１〜図３において、吸気装置１０は、エンジン６の前方に設けられ、車両１の前方から空気を取り入れる吸気ダクト１１と、吸気ダクト１１の下流端に接続され、空気を浄化するエアクリーナ１２と、エアクリーナ１２によって浄化された空気を過給機９のコンプレッサハウジング９ａに導入するエアクリーナアウトレット配管１３とを備えている。
【００４１】
図１において、過給機９は、コンプレッサハウジング９ａの内部に設けられた図示しないコンプレッサと、排気ガスの圧力によって回転する図示しないタービンを内蔵するタービンハウジング９ｂとを備えている。
【００４２】
また、吸気装置１０は、インタクーラインレット配管１４、インタクーラ１５、インタクーラアウトレット配管１６および吸気マニホールド１７を備えている。
【００４３】
インタクーラインレット配管１４の上流端は、過給機９のコンプレッサハウジング９ａに接続されており、インタクーラインレット配管１４の下流端は、インタクーラ１５に接続されている。
【００４４】
インタクーラ１５にはインタクーラアウトレット配管１６の上流端１６ａが接続されており、インタクーラアウトレット配管１６の下流端１６ｂは、吸気マニホールド１７に接続されている。ここで、上流、下流とは空気の流れる方向に対して、上流、下流を表す。
【００４５】
過給機９は、排気ガスの圧力を受けて回転するタービンと共に一体的に回転するコンプレッサによってエアクリーナアウトレット配管１３からコンプレッサハウジング９ａに導入される空気をインタクーラインレット配管１４に過給する。
【００４６】
この過給された空気は、温度が上昇するので、この高温の空気は、インタクーラ１５に導入されてインタクーラ１５によって冷却される。これにより、空気の酸素密度が高められる。この酸素密度が高められた空気は、インタクーラアウトレット配管１６から吸気マニホールド１７を介してエンジン６の図示しない燃焼室に導入される。
【００４７】
図２において、インタクーラ１５は、エンジン６の前方に設置されており、インタクーラ１５は、コア部１８、アッパタンク１９およびロアタンク２０を備えている。コア部１８は、過給機９から供給される空気を走行風によって冷却するものであり、空気が流通する図示しない流通部が図示しない走行風の流通路を介して上下方向または車幅方向に並んで設置されている。
【００４８】
ロアタンク２０は、コア部１８の下部に設けられており、ロアタンク２０にはインタクーラインレット配管１４が接続される空気入口管部２０ａが設けられている。ロアタンク２０は、インタクーラインレット配管１４から空気入口管部２０ａを通して導入される空気をコア部１８に導入する。
【００４９】
アッパタンク１９は、コア部１８の上部に設けられており、アッパタンク１９にはインタクーラアウトレット配管１６の上流端１６ａが接続される空気出口管部１９ａが設けられている（図１、図２参照）。
【００５０】
アッパタンク１９にはコア部１８で冷却された空気が導入されるようになっており、アッパタンク１９に導入される空気は、空気出口管部１９ａからインタクーラアウトレット配管１６を介して吸気マニホールド１７に導入される。
【００５１】
図４において、エンジン６の後部にはオルタネータ２１が設けられており、エンジン６の車幅方向一端部６ａにはウォータポンプ２２が設けられている。
【００５２】
オルタネータ２１は、発電機を構成するものであり、図示しないロータおよびステータ等を備えている。ロータは、オルタネータ２１のハウジング２１Ａに回転自在に支持されており、ロータの端部にはエンジン６の車幅方向一端部６ａから外方に突出するオルタネータプーリ２１Ｂが設けられている。このため、オルタネータ２１は、作動時に高温の熱を発生する。本実施形態のオルタネータ２１は、本発明の補機を構成する。
【００５３】
ウォータポンプ２２は、例えば、図示しないインペラが取付けられる回転軸がエンジンの車幅方向一端部６ａから外方に突出しており、この回転軸の端部にウォータポンププーリ２２Ａが取付けられる。
【００５４】
オルタネータプーリ２１Ｂおよびウォータポンププーリ２２Ａにはタイミングベルト２３が巻き掛けられている。タイミングベルト２３は、クランクプーリ２４に巻き掛けられており、クランクプーリ２４は、図示しないクランクシャフトの端部に設けられ、エンジン６の車幅方向一端部６ａから外方に突出している。
【００５５】
これにより、オルタネータ２１およびウォータポンプ２２にはクランクシャフトの回転がタイミングベルト２３を介して伝達され、オルタネータ２１およびウォータポンプ２２は、クランクシャフトの回転に同期して駆動される。
【００５６】
図１〜図３において、オルタネータ２１は、吸気マニホールド１７の側方で、かつ変速機８と反対側のエンジン６の車幅方向一端部６ａ寄りに設置されており、車両１の高さ方向において、エンジン６の中央部に設置されている。
【００５７】
図３において、吸気マニホールド１７は、エンジン６の後部に取付けられており、エンジン６に吸入空気を分配するサージタンク２５およびサージタンク２５の上流側に設けられた吸気導入管２６を有する。ここで、図１、図２において、矢印Ｗ１で示す小さい矢印は、空気の流れる方向を示している。
【００５８】
図３に示すように、吸気導入管２６は、サージタンク２５から車両１の下方に延長しており、車両１の高さ方向においてオルタネータ２１の下部２１ａに延長している。
【００５９】
図１〜図４において、インタクーラアウトレット配管１６は、インタクーラ１５の空気出口管部１９ａからエンジン６の車幅方向一端部６ａに沿って延びた後、下流端１６ｂが吸気導入管２６に連結されている。
【００６０】
図４に示すように、車両１の高さ方向において空気出口管部１９ａは、マウント装置７よりも上方に設置されており、オルタネータ２１は、マウント装置７よりも下方に設置されている。なお、図４において、空気出口管部１９ａの高さを符号Ｔで示す。
【００６１】
インタクーラアウトレット配管１６は、空気出口管部１９ａからマウント装置７を構成する第１のマウントブラケット７ａまたは第２のマウントブラケット７ｂの下方を通過した後、オルタネータ２１の下方を通して吸気導入管２６に接続されている。
【００６２】
これにより、本実施形態のインタクーラアウトレット配管１６は、インタクーラアウトレット配管１６の下流側をエンジン６の後部に設置される吸気導入管２６に接続する必要がある。このため、インタクーラアウトレット配管１６の下流側がエンジン６の車幅方向一端部６ａからエンジン６の後部に向かって屈曲される。
【００６３】
図４に示すように、エンジン６を車幅方向一端部６ａから目視した状態において、インタクーラアウトレット配管１６は、空気出口管部１９ａから吸気導入管２６に向かって車両１の下方に屈曲する複数の段差部１６ｃ、１６ｄを有する。
【００６４】
具体的に、インタクーラアウトレット配管１６は、空気出口管部１９ａからマウント装置７に対して車両１の前後方向手前側まで延びた後、車両１の下方に屈曲する第１の配管部１６Ａを有し、第１の配管部１６Ａは、マウント装置７に対して車両１の前後方向手前で車両１の上下方向に延びる段差部１６ｃを備える。
【００６５】
また、インタクーラアウトレット配管１６は、第１の配管部１６Ａに連続し、オルタネータ２１の上端部２１ｂよりも低い位置で、かつマウント装置７を構成する第１のマンウトブラケット７ａまたは第２のマウントブラケット７ｂの下方を通過する第２の配管部１６Ｂを有する。なお、第２の配管部１６Ｂとオルタネータ２１との位置関係を分かり易くするために、図４において、オルタネータ２１の上端部２１ｂと第２の配管部１６Ｂの上端部１６ｂとを引き出し線で示す。
【００６６】
また、インタクーラアウトレット配管１６は、第２の配管部１６Ｂに連続し、オルタネータ２１に対して車両１の前後方向手前側から下方に屈曲する第３の配管部１６Ｃを有し、第３の配管部１６Ｃは、車両１の上下方向でマウント装置７からオルタネータ２１の下方まで延びる段差部１６ｄを備える。
【００６７】
さらに、インタクーラアウトレット配管１６は、第３の配管部１６Ｃに連続し、オルタネータ２１の下方を通過して吸気導入管２６に接続される第４の配管部１６Ｄを有する。ここで、図４において、第１の配管部１６Ａ〜第４の配管部１６Ｄまでの範囲を示す。
【００６８】
次に、作用を説明する。
本実施形態の吸気装置１０において、インタクーラ１５は、エンジン６の前方に設置されており、吸気マニホールド１７は、エンジン６の後部に設置されている。また、エンジン６の車幅方向一端部６ａには作動時に高温の熱を発生するオルタネータ２１が設置されている。
【００６９】
このため、インタクーラアウトレット配管１６は、エンジン６の前方から車幅方向一端部６ａを通してエンジン６の後方にレイアウトする必要がある。ところが、エンジン６の運転時に、オルタネータ２１から発生して上昇する熱（図３に矢印Ｈで示す）がオルタネータ２１の上方に滞留しており、従来のようにインタクーラアウトレット配管１６をオルタネータ２１の上方に設置すると、インタクーラ１５によって冷却された空気が上方に滞留する熱によって加熱されるおそれがある。
【００７０】
これに対して、本実施形態の吸気装置１０によれば、吸気導入管２６をサージタンク２５から車両１の下方に延長させるとともに、車両１の高さ方向においてオルタネータ２１の下部２１ａに延長させ、インタクーラアウトレット配管１６を、空気出口管部１９ａからマウント装置７の下方およびオルタネータ２１の下方を通して吸気導入管２６に接続した。
【００７１】
このため、オルタネータ２１の側方から下側に亙って囲むようにインタクーラアウトレット配管１６および吸気導入管２６を設置でき、オルタネータ２１から上昇する熱にインタクーラアウトレット配管１６および吸気導入管２６が晒されることを防止できる。したがって、インタクーラ１５で冷却された空気が加熱されることを防止でき、インタクーラアウトレット配管１６を流れる空気を低温に保つことができる。
【００７２】
この結果、インタクーラ１５で冷却された空気をインタクーラアウトレット配管１６から吸気マニホールド１７を通してエンジン６に導入でき、エンジン６の吸気効率を高めてエンジン６の出力性能を高めることができる。
【００７３】
また、本実施形態の吸気装置１０によれば、車両１の高さ方向において空気出口管部１９ａをマウント装置７よりも上方に設置するとともに、オルタネータ２１をマウント装置７よりも下方に設置し、インタクーラアウトレット配管１６を、空気出口管部１９ａからマウント装置７の下方およびオルタネータ２１の下方を通して吸気導入管２６に接続した。
【００７４】
このため、車両１の高さ方向においてインタクーラアウトレット配管１６を車両１の前方（上流側）から後方（下流側）に向かって低く設置でき、車両１の高さ方向においてインタクーラアウトレット配管１６の高さ方向の寸法を長くできる。
【００７５】
したがって、図２、図４に示すように車両１の前方から車両１に導入される走行風Ｗがインタクーラアウトレット配管１６に当たる表面積を増大でき、インタクーラアウトレット配管１６を効率よく冷却できる。この結果、インタクーラアウトレット配管１６を流れる空気の温度を走行風Ｗによってさらに低下でき、エンジン６の吸気効率をより効果的に高めることができる。
【００７６】
また、本実施形態の吸気装置１０によれば、オルタネータ２１の上方のスペースＳ（図４参照）にインタクーラアウトレット配管１６が設置されないので、オルタネータ２１の上方のスペースＳを拡大できる。このため、上方からオルタネータ２１に容易にアクセスでき、エンジン６に対してオルタネータ２１を容易に着脱できる。したがって、オルタネータ２１のメンテナンス作業の作業性を向上できる。
【００７７】
また、本実施形態の吸気装置１０によれば、エンジン６を車幅方向一端部６ａから目視した状態において、インタクーラアウトレット配管１６が、空気出口管部１９ａから吸気導入管２６に向かって車両１の下方に屈曲する複数の段差部１６ｃ、１６ｄを有する。
【００７８】
このため、車両１の前方から車両に導入される走行風Ｗがインタクーラアウトレット配管１６に当たる表面積をより効果的に増大でき、インタクーラアウトレット配管１６をより効率よく冷却できる。この結果、インタクーラアウトレット配管１６を流れる空気の温度を走行風によってより効果的に低下でき、エンジン６の吸気効率をより効果的に高めることができる。
【００７９】
また、本実施形態の吸気装置１０によれば、インタクーラアウトレット配管１６が、空気出口管部１９ａからマウント装置７に対して車両１の前後方向手前側まで延びた後、車両１の下方に屈曲する第１の配管部１６Ａを有する。
【００８０】
このため、第１の配管部１６Ａをマウント装置７に対して車両１の前方に位置させることができ、車両１の前方から取り込まれる走行風Ｗがマウント装置７に遮られることがなく、第１の配管部１６Ａに走行風Ｗを確実に当てることができる。したがって、第１の配管部１６Ａを流れる空気を冷却することができる。
【００８１】
また、インタクーラアウトレット配管１６が、第１の配管部１６Ａに連続し、オルタネータ２１の上端部２１ｂよりも低い位置で、かつマウント装置７を構成する第１のマウントブラケット７ａまたは第２のマウントブラケット７ｂの下方を通過する第２の配管部１６Ｂを有する。このため、オルタネータ２１から上昇する熱に第２の配管部１６Ｂが晒されることを防止でき、インタクーラ１５で冷却された空気が加熱されることを防止できる。
【００８２】
また、インタクーラアウトレット配管１６が、第２の配管部１６Ｂに連続し、オルタネータ２１に対して車両１の前後方向手前側から下方に屈曲する第３の配管部１６Ｃを有する。このため、第３の配管部１６Ｃを第２の配管部１６Ｂよりもさらに下方に設置でき、オルタネータ２１から上昇する熱に第３の配管部１６Ｃが晒されることを防止できる。したがって、インタクーラ１５で冷却された空気が加熱されることを防止できる。
【００８３】
これに加えて、第３の配管部１６Ｃの前方に障害物が設置されることがないので、車両１の前方から取り込まれる走行風Ｗを第３の配管部１６Ｃに確実に当てることができる。このため、第３の配管部１６Ｃを流れる空気を冷却することができる。
【００８４】
また、インタクーラアウトレット配管１６が、第３の配管部１６Ｃに連続し、オルタネータ２１の下方を通過して吸気導入管２６に接続される第４の配管部１６Ｄを有する。このため、第４の配管部１６Ｄを第３の配管部１６Ｃよりもさらに下方に設置でき、オルタネータ２１から上昇する熱に第４の配管部１６Ｄが晒されることを防止できる。したがって、インタクーラ１５で冷却された空気が加熱されることを防止できる。
【００８５】
さらに、吸気導入管２６の空気の流れ方向手前に形成される第４の配管部１６Ｄをインタクーラアウトレット配管１６の中で最も低い位置に配置できる。このため、車両１の下部を通過する走行風の流れに近づけることができ、第４の配管部１６Ｄをエンジンルーム４内でも比較的低温となる領域に配置できる。この結果、インタクーラアウトレット配管１６を流れる空気が加熱されることが防止できる。
【００８６】
以上の結果、第１の配管部１６Ａから第４の配管部１６Ｄを流れる空気がオルタネータ２１の熱に晒され難くできるとともに、第１の配管部１６Ａから第４の配管部１６Ｄに走行風Ｗを当て易くでき、インタクーラアウトレット配管１６を流れる空気を低温に保つことができる。
【００８７】
また、本実施形態の吸気装置１０によれば、補機をオルタネータ２１から構成したので、モータの回転によってオルタネータ２１から発生する熱によってインタクーラアウトレット配管１６を流れる空気が加熱されることを防止できる。
【００８８】
また、オルタネータ２１は、ウォータポンプ２２等の他の補機に比較して相対的に大型であるが、本実施形態の吸気装置１０は、オルタネータ２１の上方のスペースＳを拡大できるため、上方からオルタネータ２１に容易にアクセスできる。したがって、エンジン６に対してオルタネータ２１を容易に着脱でき、オルタネータ２１のメンテナンス作業の作業性を向上できる。
【００８９】
本発明の実施形態を開示したが、当業者によっては本発明の範囲を逸脱することなく変更が加えられうることは明白である。すべてのこのような修正および等価物が次の請求項に含まれることが意図されている。
【符号の説明】
【００９０】
１…車両、２…車体、６…エンジン（内燃機関）、６ａ…車幅方向一端部（車幅方向端部）、７…マウント装置、９…過給機、１０…吸気装置、１５…インタクーラ、１６…インタクーラアウトレット配管、１６Ａ…第１の配管部、１６Ｂ…第２の配管部、１６Ｃ…第３の配管部、１６Ｄ…第４の配管部、１６ｃ，１６ｄ…段差部、１７…吸気マニホールド、１９ａ…空気出口管部、２１…オルタネータ（補機）、２１ｂ…上端部（補機の上端部）、２５…サージタンク、２６…吸気導入管
【図１】
2015190323.tif 000003
【図２】
2015190323.tif 000004
【図３】
2015190323.tif 000005
【図４】
2015190323.tif 000006
【手続補正書】
【提出日】平成26年6月30日(2014.6.30)
【手続補正１】
【補正対象書類名】特許請求の範囲
【補正対象項目名】請求項１
【補正方法】変更
【補正の内容】
【請求項１】
過給機および作動時に熱を発生する補機が取付けられ、車幅方向端部に取付けられたマウント装置を介して車両の車体に支持される内燃機関に取付けられた吸気装置であって、
前記内燃機関の前後方向後部に取付けられたサージタンクおよび前記サージタンクの上流側に設けられ、前記補機が側方に設置される吸気導入管を有する吸気マニホールドと、
前記内燃機関の前方に設置されるとともに、空気出口管部を有し、前記過給機にインタクーラインレット配管を介して接続されるインタクーラと、
前記インタクーラの前記空気出口管部から前記内燃機関の前記車幅方向端部に沿って延びた後、前記吸気導入管に連結されるインタクーラアウトレット配管とを備え、
前記車両の高さ方向において前記空気出口管部を前記マウント装置よりも上方に設置するとともに、前記補機を前記マウント装置よりも下方に設置し、
前記吸気導入管を前記サージタンクから前記車両の下方に延長させるとともに、前記車両の高さ方向において少なくとも前記補機の下部に延長させ、
前記インタクーラアウトレット配管を、前記空気出口管部から前記マウント装置の下方および前記補機の下方を通して前記吸気導入管に接続したことを特徴とする過給機付き内燃機関の吸気装置。
【手続補正２】
【補正対象書類名】明細書
【補正対象項目名】００１３
【補正方法】変更
【補正の内容】
【００１３】
本発明の第１の態様は、過給機および作動時に熱を発生する補機が取付けられ、車幅方向端部に取付けられたマウント装置を介して車両の車体に支持される内燃機関に取付けられた吸気装置であって、前記内燃機関の前後方向後部に取付けられたサージタンクおよび前記サージタンクの上流側に設けられ、前記補機が側方に設置される吸気導入管を有する吸気マニホールドと、前記内燃機関の前方に設置されるとともに、空気出口管部を有し、前記過給機にインタクーラインレット配管を介して接続されるインタクーラと、前記インタクーラの前記空気出口管部から前記内燃機関の前記車幅方向端部に沿って延びた後、前記吸気導入管に連結されるインタクーラアウトレット配管とを備え、前記車両の高さ方向において前記空気出口管部を前記マウント装置よりも上方に設置するとともに、前記補機を前記マウント装置よりも下方に設置し、前記吸気導入管を前記サージタンクから前記車両の下方に延長させるとともに、前記車両の高さ方向において少なくとも前記補機の下部に延長させ、前記インタクーラアウトレット配管を、前記空気出口管部から前記マウント装置の下方および前記補機の下方を通して前記吸気導入管に接続したものから構成されている。